(57)【要約】【課題】  本発明は、被介護体に必要な介護人が割り当てられているか否かを容易に確認することができる介護管理システムを提供する。【解決手段】  本発明の介護管理システムは、介護人ごとに割り当てられた複数の介護端末と、被介護体ごとに割り当てられ且つ上記介護端末に通信可能に接続された複数の被介護端末とを含む介護管理システムであって、上記介護端末は、入力部と、記憶部と、指定信号送信手段とを有していると共に、上記被介護端末は、介護人登録テーブル及び必要介護人数テーブルを記憶している記憶部と、介護人記憶手段と、応答手段とを有していることを特徴とする。【選択図】  図１
2016116679.tif 000002
【特許請求の範囲】
【請求項１】
介護人ごとに割り当てられた複数の介護端末と、被介護体ごとに割り当てられ且つ上記介護端末に通信可能に接続された複数の被介護端末とを含む介護管理システムであって、
上記介護端末は、
入力部と、
記憶部と、
上記入力部から入力された被介護体の指定に基づいて、この被介護体に割り当てられた被介護端末に指定されたことを通知する指定信号を送信する指定信号送信手段とを有していると共に、
上記被介護端末は、
この被介護端末を割り当てている被介護体の介護担当となる介護人を記憶した介護人登録テーブル、及び、上記被介護体が必要とする介護人の人数を記憶した必要介護人数テーブルを記憶している記憶部と、
上記介護端末から送信された上記指定信号の受信に基づき、上記指定信号を送信した介護端末を割り当てている介護人を上記介護人登録テーブルに登録する介護人記憶手段と、
上記介護端末から上記介護人登録テーブルに登録された介護人を問い合わせる確認信号の受信に基づき、必要介護人数テーブルに記憶された介護人の人数と、介護人登録テーブルに記憶された介護人の人数とを比較して、介護人登録テーブルに記憶された介護人の人数が、必要介護人数テーブルに記憶された介護人の人数よりも少ない場合に、上記介護端末に、介護人が必要である旨を意味する応答信号を送信する応答手段とを有していることを特徴とする介護管理システム。
【請求項２】
介護端末は、介護人登録テーブルに登録された介護人を問い合わせる確認信号を送信し、この確認信号に応答して被介護端末から送信された応答信号に基づいて応答結果を出力部に出力する介護人確認手段を有することを特徴とする請求項１に記載の介護管理システム。
【請求項３】
被介護端末から送信された応答信号には、介護人登録テーブルに記憶された介護人の人数及び必要介護人数テーブルに記憶された介護人の人数の情報が含まれており、介護人確認手段は、必要介護人数テーブルに記憶された介護人の人数から介護人登録テーブルに登録された介護人の人数を引いた値が大きい順に被介護体ごとに応答結果を出力部に出力することを特徴とする請求項２に記載の介護管理システム。
【請求項４】
介護端末は、介護人登録テーブルに登録されている介護人の開示を要求する開示要求信号を送信する介護人開示要求手段を更に有し、
被介護端末は、上記介護端末からの開示要求信号の受信に基づいて、上記開示要求信号を送信した介護端末に、介護人登録テーブルに登録された介護人の情報を含む開示信号を送信する介護人開示手段を更に有していることを特徴とする請求項１に記載の介護管理システム。
【請求項５】
被介護端末から送信された開示信号には、介護人登録テーブルに記憶された介護人の人数及び必要介護人数テーブルに記憶された介護人の人数の情報が含まれており、介護人開示要求手段は、必要介護人数テーブルに記憶された介護人の人数から介護人登録テーブルに登録された介護人の人数を引いた値が大きい順に被介護体ごとに開示結果を出力部に出力することを特徴とする請求項４に記載の介護管理システム。
【請求項６】
介護端末は、記憶部に被介護体登録テーブルが記憶され、この被介護体登録テーブルに、上記介護端末が割り当てられた介護人が介護する可能性のある被介護体に割り当てられた被介護端末が登録されており、この登録された被介護端末に対して確認信号を送信することを特徴とする請求項２に記載の介護管理システム。
【請求項７】
介護端末は、記憶部に被介護体登録テーブルが記憶され、この被介護体登録テーブルに、上記介護端末が割り当てられた介護人が介護する可能性のある被介護体に割り当てられた被介護端末が登録されており、この登録された被介護端末に対して開示要求信号を送信することを特徴とする請求項４に記載の介護管理システム。
【発明の詳細な説明】
【技術分野】
【０００１】
本発明は、介護管理システムに関する。
【背景技術】
【０００２】
病院や老人ホームなどでは、患者又は入居者などの被介護体の健康状態を十分に監視する必要があり、被介護体の状態を介護人が定期的に見回っている。被介護体を絶え間なく見回ることは介護人にとって大変な労力を要し、介護人の労力の軽減が求められている。
【０００３】
そこで、被介護体の生体情報を自動的に測定し、介護人に伝達することによって、介護人の負担を軽減させることが提案されている。具体的には、特許文献１には、ベッドに、生体情報を検出するためのセンサを有するマットを敷設し、このセンサの検出信号を電気信号に変換して論理判断回路に送り、この論理判断回路で生体情報が異常かどうかを判断して出力するようにした生体情報を収集し伝達する装置が提案されている。
【０００４】
そして、上記生体情報を収集し伝達する装置は、被介護体の異常な生体情報があった場合に生体情報を介護人に伝達する。異常な生体情報の伝達を受けた介護人は直ちに被介護体のもとに行って被介護体の介護にあたる。
【先行技術文献】
【特許文献】
【０００５】
【特許文献１】特開２０１０−２８４４９８号公報
【発明の概要】
【発明が解決しようとする課題】
【０００６】
一方、介護施設などにおいては、複数人の介護人が分担して複数の被介護体の介護にあたっている。介護人の人数及び被介護体の数が多くなると、全ての被介護体について、必要な人数の介護人の割り当てがなされていなかったり、最悪の場合には、被介護体に一人も介護人が割り当てられていない事態が発生するという事態が発生することがある。
【０００７】
このような場合には、上記生体情報を収集し伝達する装置を導入したとしても、緊急時において、被介護体を適切に介護することができないという事態が発生するため、被介護体に必要な介護人が割り当てられているか否かを確認することができるシステムが要望されている。
【０００８】
本発明は、被介護体に必要な介護人が割り当てられているか否かを容易に確認することができる介護管理システムを提供する。
【課題を解決するための手段】
【０００９】
本発明の介護管理システムは、介護人ごとに割り当てられた複数の介護端末と、被介護体ごとに割り当てられ且つ上記介護端末に通信可能に接続された複数の被介護端末とを含む介護管理システムであって、
上記介護端末は、
入力部と、
記憶部と、
上記入力部から入力された被介護体の指定に基づいて、この被介護体に割り当てられた被介護端末に指定されたことを通知する指定信号を送信する指定信号送信手段とを有していると共に、
上記被介護端末は、
この被介護端末を割り当てている被介護体の介護担当となる介護人を記憶した介護人登録テーブル、及び、上記被介護体が必要とする介護人の人数を記憶した必要介護人数テーブルを記憶している記憶部と、
上記介護端末から送信された上記指定信号の受信に基づき、上記指定信号を送信した介護端末を割り当てている介護人を上記介護人登録テーブルに登録する介護人記憶手段と、
上記介護端末から上記介護人登録テーブルに登録された介護人を問い合わせる確認信号の受信に基づき、必要介護人数テーブルに記憶された介護人の人数と、介護人登録テーブルに記憶された介護人の人数とを比較して、介護人登録テーブルに記憶された介護人の人数が、必要介護人数テーブルに記憶された介護人の人数よりも少ない場合に、上記介護端末に、介護人が必要である旨を意味する応答信号を送信する応答手段とを有していることを特徴とする。
【発明の効果】
【００１０】
本発明の介護管理システムは、上述の如き構成を有していることから、複数の被介護体を複数の介護人によって介護している場合において、被介護体の介護状況を適切に把握することができ、被介護体を適切な人数の介護人でもって確実に介護することができる。
【図面の簡単な説明】
【００１１】
【図１】介護管理システムを示したハードウエア構成図である。
【図２】介護端末を示したハードウエア構成図である。
【図３】被介護端末を示したハードウエア構成図である。
【図４】介護端末の所有者情報テーブルを示した図である。
【図５】被介護体登録テーブルを示した図である。
【図６】被介護端末の所有者情報テーブルを示した図である。
【図７】介護人登録テーブルを示した図である。
【図８】介護人確認手段及び応答手段の動作を示したフローチャートである。
【図９】介護人確認手段による出力部への出力形態の一例を示した図である。
【図１０】指定信号送信手段及び介護人記憶手段の動作を示したフローチャートである。
【図１１】介護人開示要求手段及び介護人開示手段の動作を示したフローチャートである。
【発明を実施するための形態】
【００１２】
本発明の介護管理システムＡの一例を図面を参照しながら説明する。介護管理システムＡは、図１に示した通り、介護人ごとに割り当てられた複数の介護端末１と、被介護体ごとに割り当てられ且つ上記介護端末１に通信可能に接続された複数の被介護端末２とを含む。
【００１３】
介護管理システムＡは、複数の介護端末１を含み、各介護端末１は介護人ごとに割り当てられている。介護端末１としては、後述する被介護端末と通信可能に接続可能であればよく、公知の携帯型通信機器を用いることができ、例えば、スマートフォン、タブレット型携帯通信端末、携帯電話などが挙げられる。
【００１４】
介護管理システムＡは、複数の被介護端末２を含み、各被介護端末２は被介護体ごとに割り当てられている。被介護端末２としては、上記介護端末１と通信可能に接続可能であればよく、公知の携帯型通信機器を用いることができ、例えば、スマートフォン、タブレット型携帯通信端末、携帯電話などの他、被介護体の生体信号を測定可能な電子端末などが挙げられる。なお、被介護体としては、例えば、介護を必要とする人及びペットなどが挙げられる。
【００１５】
介護端末１と被介護端末２とは、汎用の通信プロトコル（例えば、ＴＣＰ／ＩＰ、ＮｅｔＢＥＵＩ）を用いて互いに通信可能に接続されており、介護端末１及び被介護端末２は、それぞれに予め付与された識別番号によって区別されている。以下では、介護端末１及び被介護端末２は、識別番号としてＩＰアドレスを用いて区別されている場合を例に挙げて説明するが、これに限定されない。
【００１６】
図２は、介護端末１のハードウエア構成を示した図である。介護端末１は、ＣＰＵ(Central Processing Unit)11に、記憶部に相当するＳＳＤ（Solid State Drive）及びＨＤＤ（Hard Disk Drive）などの記憶装置12と、ＲＯＭ(Read Only Memory)13と、ＲＡＭ(Random Access Memory)14と、入力部に相当するタッチパネル及びキーボードなどの入力装置15、出力部に相当するタッチパネル、ディスプレイ及びスピーカなどの出力装置16、他の端末との通信を可能にするための通信ユニット17とが電気的に接続されている。
【００１７】
介護端末１のＲＯＭ13及び記憶装置12内には、ＣＰＵ11にて実行される制御プログラムや各種データが格納されている。ＲＡＭ14には、各種のプログラムに基づいて設定される設定値を一次的に記憶するためのメモリなどが格納されている。
【００１８】
介護端末１のＲＯＭ13及び記憶装置12内には、介護端末１が備える各種手段（指定信号送信手段、介護人確認手段、介護人開示要求手段など）としての各種プログラム（指定信号送信プログラム、介護人確認プログラム、介護人開示要求プログラムなど）が格納されている。各種手段は、ＣＰＵ11やＲＡＭ14上に各種プログラムを読み込ませることにより、ＣＰＵ11の制御のもとで、ＲＡＭ14や記憶装置12におけるデータの読み出し及び書き込みを行うことで実現される。
【００１９】
図３は、被介護端末２のハードウエア構成を示した図である。被介護端末２は、ＣＰＵ(Central Processing Unit)21に、記憶部に相当するＳＳＤ（Solid State Drive）及びＨＤＤ（Hard Disk Drive）などの記憶装置22と、ＲＯＭ(Read Only Memory)23と、ＲＡＭ(Random Access Memory)24と、入力部に相当するタッチパネル及びキーボードなどの入力装置25、出力部に相当するタッチパネル、ディスプレイ及びスピーカなどの出力装置26と、他の端末との通信を可能にするための通信ユニット27とが電気的に接続されている。
【００２０】
被介護端末２のＲＯＭ23及び記憶装置22内には、ＣＰＵ21にて実行される制御プログラムや各種データが格納されている。ＲＡＭ24には、各種のプログラムに基づいて設定される設定値を一次的に記憶するためのメモリなどが格納されている。
【００２１】
被介護端末２のＲＯＭ23及び記憶装置22内には、被介護端末２が備える各種手段（介護人記憶手段、応答手段、介護人開示手段など）としての各種プログラム（介護人記憶プログラム、応答プログラム、介護人開示プログラムなど）が格納されている。各種手段は、ＣＰＵ21やＲＡＭ24上に各種プログラムを読み込ませることにより、ＣＰＵ21の制御のもとで、ＲＡＭ24や記憶装置22におけるデータの読み出し及び書き込みを行うことで実現される。
【００２２】
介護端末１の記憶装置12には、介護端末１が割り当てられている介護人の名前を記憶している所有者情報テーブルが記憶されている。所有者情報テーブルには、図４に示したように、介護端末１の所有者、即ち、介護端末１に割り当てられた介護人の名前が記憶されている。図４では、介護人の名前として「介護太郎」が登録されている。所有者情報テーブルへの介護人の名前の登録及び削除は、介護端末１の入力装置15を用いて行われる。
【００２３】
介護端末１の記憶装置12には、被介護体登録テーブルが記憶されている。この被介護体登録テーブルには、図５に示したように、例えば、介護端末１に割り当てられた介護人が介護担当となる可能性のある被介護体が記憶されている。即ち、介護管理システムＡ内には、複数の被介護体が存在しているが、この被介護体のうち、介護端末１が割り当てられた介護人が介護担当となる可能性のある被介護体が登録、記憶されている。被介護体登録テーブルには、例えば、被介護体の名前と、被介護体に割り当てられている被介護端末２のＩＰアドレスなどが登録されている。被介護体登録テーブルへの被介護体の名前及びＩＰアドレスの登録及び削除は、介護端末１の入力装置15を用いて行われる。
【００２４】
図５においては、ＩＰアドレス１９２．１６８．１．１００と「被介護太郎」とが一対となり、ＩＰアドレス１９２．１６８．１．１０１と「被介護次郎」とが一対となって、被介護体登録テーブルに登録されている。
【００２５】
被介護端末２の記憶装置22には、被介護端末２が割り当てられている被介護体の名前を記憶している所有者情報テーブルが記憶されている。所有者情報テーブルには、図６に示したように、被介護端末２の所有者、即ち、被介護端末２が割り当てられた被介護体の名前が記憶されている。図６では、被介護体の名前として「被介護太郎」が登録されている。所有者情報テーブルへの被介護体の名前の登録及び削除は、被介護端末２の入力装置25を用いて行われる。
【００２６】
又、被介護端末２の記憶装置22には、介護人登録テーブルが記憶されている。この介護人登録テーブルには、図７に示したように、被介護端末２が割り当てられている被介護体の介護を担当することになった介護人が登録されている。例えば、図７においては、介護人登録テーブルには、介護人の名前及びこの介護人に割り当てられている介護端末１のＩＰアドレスが一対となって登録されている。なお、介護人登録テーブルの介護人の名前及びこの介護人に割り当てられている介護端末１のＩＰアドレスの削除は、被介護端末２の入力装置25を用いて行われる。
【００２７】
被介護端末２の記憶装置22には、必要介護人数テーブルが記憶されている。この必要介護人数テーブルには、被介護端末２が割り当てられている被介護体の介護に必要な介護人の人数が記憶されている。被介護体の介護に必要な介護人の人数が例えば、２人の場合、必要介護人数テーブルには「２」が登録、記憶されている。必要介護人数テーブルへの介護人の人数の登録及び変更は、被介護端末２の入力装置25を用いて行われる。
【００２８】
介護端末１は、被介護体登録テーブルに記憶された被介護体に割り当てられた被介護端末に、介護人登録テーブルに登録された介護人を問い合わせる確認信号を送信し、この確認信号に応答して被介護端末から送信された応答信号に基づいて応答結果を出力部に出力する介護人確認手段を有する。
【００２９】
介護人確認プログラムは、介護端末１から被介護端末２に登録されている介護人の登録状況を確認するときに起動される。
【００３０】
具体的には、図８に示した通り、介護端末１の入力装置15から介護人確認プログラムの起動命令が入力される（ステップ１）と、介護人確認プログラムによって、介護端末１の記憶装置12内の被介護体登録テーブルに記憶されている被介護端末２のＩＰアドレスが全て読み出される（ステップ２）。なお、フローチャートにおいて、ステップは「Ｓ」と略される。
【００３１】
次に、介護人確認プログラムによって、被介護体登録テーブルに登録されているＩＰアドレスと同一のＩＰアドレスを有する被介護端末２の全てに、被介護端末２の記憶装置22内の介護人登録テーブルに登録された介護人を問い合わせる確認信号が送信される（ステップ３）。
【００３２】
一方、被介護端末２は応答手段を有している。応答手段の動作を説明する。図８に示したように、各被介護端末２において、介護端末１から確認信号を受信すると開示プログラムが起動し、この開示プログラムによって、必要介護人数テーブルに登録された必要な介護人の人数が読み出される（ステップ４）。更に、介護人登録テーブルに登録された介護人の人数が読み出される（ステップ５）。
【００３３】
次に、必要介護人数テーブルから読み出された必要な介護人の人数と、介護人登録テーブルから読み出された介護人の人数とが比較され、何れが多いか否かが判断される（ステップ６）。
【００３４】
介護人の人数が必要な介護人の人数と等しい又は多い場合には、これ以上の動作は行われない（ステップ７）。
【００３５】
一方、介護人の人数が、必要な介護人の人数よりも少ない場合に、介護人が必要である旨を意味する応答信号が、確認信号を送信した介護端末１に送信される（ステップ８）。なお、被介護端末２から介護端末１への応答信号は、確認信号を受信したときの介護端末１のＩＰアドレスに基づいて送信される。
【００３６】
応答信号に含まれる情報としては、介護端末１を操作している介護人に、必要な人数の介護人が登録されておらず、介護人の登録が必要であること示す情報であれば、特に限定されない。応答信号としては、例えば、（１）所有者情報テーブルに登録された被介護体の名前、介護人登録テーブルに登録された全ての介護人の名前及び人数、並びに、必要な介護人の人数を含む応答信号、（２）所有者情報テーブルに登録された被介護体の名前及び必要な介護人の人数から登録された介護人の人数を引いて得られる値（不足介護人数）を含む応答信号などが挙げられる。
【００３７】
介護端末１が応答信号を受信すると、介護人確認プログラムによって、応答信号に含まれている情報に基づいて応答結果が出力装置16に出力される（ステップ９）。
【００３８】
介護人確認プログラムによって、被介護端末２から受信した応答信号に含まれている情報に基づいて応答結果が出力装置16に表示される。出力装置16への表示形態としては、応答信号に含まれた情報に基づいた応答結果を被介護体ごとに列挙する表示形態が挙げられる。具体的には、例えば、応答信号が上記（１）である場合には、図９に示したように、介護人登録テーブルに登録された介護人の名前を被介護体ごとに列挙する表示形態が挙げられる。この表示形態において、被介護体ごとに、介護人の名前を表示する表示欄を必要な介護人の人数分だけ設け、この表示欄に介護人の名前を埋めていき、不足している介護人の表示欄を空欄として表示すればよい。不足している介護人の表示欄を空欄とすることによって、一目で介護人が不足している被介護体を把握することができる。
【００３９】
応答結果を出力装置16に表示するにあたって、必要な介護人の人数から登録された介護人の人数を引いて得られる値（不足介護人数）が多い被介護体から順に出力装置16に表示することが好ましい。このように表示することによって、介護人は、介護人がより不足している被介護体を認識し易くなり好ましい。なお、不足介護人数が等しい被介護体が複数存在する場合は、これらの被介護体内における表示順位は任意でよい。
【００４０】
又、介護端末１は、入力部から入力された被介護体の指定命令に基づいて、この被介護体に割り当てられた被介護端末に指定されたことを通知する指定信号を送信する指定信号送信手段を有している。
【００４１】
指定信号送信プログラムは、介護端末１に割り当てられている介護人が、被介護端末２に割り当てられた被介護体の介護担当になったことを被介護端末２に登録させるときに起動する。
【００４２】
具体的には、図９に示したように、介護人確認プログラムによって出力装置16に応答結果が表示された状態において、介護端末１の入力装置15から指定信号送信プログラムを起動させる起動命令が入力されると、指定信号送信プログラムが起動される（ステップ１０）。以下に指定信号送信手段の動作を図１０を参照しつつ説明する。
【００４３】
指定信号送信プログラムによって、介護人確認プログラムによって出力装置16に表示された応答結果に含まれた被介護体の名前が選択可能な状態とされ、被介護体を選択することによって、被介護体が指定される（ステップ１１）。
【００４４】
次に、介護すべき被介護体が指定されると、介護端末１の記憶装置12に記憶された被介護体登録テーブル内が被介護体を検索キーとして検索され、この被介護体に割り当てられた被介護端末２のＩＰアドレスが特定される（ステップ１２）。このＩＰアドレスに基づいて被介護端末２に、介護端末１に割り当てられた介護人が被介護端末２に割り当てられている被介護体の介護担当になる旨を通知する指定信号が送信される（ステップ１３）。この指定信号には、指定信号を送信した介護端末１の所有者、即ち、記憶装置12内の所有者情報テーブル内に記憶された介護人の名前が少なくとも含まれている。
【００４５】
そして、被介護端末２は、介護端末１から送信された指定信号の受信に基づき、指定信号を送信した介護端末１が割り当てられている介護人を介護人登録テーブルに記憶する介護人記憶手段を有している。
【００４６】
介護端末１から送信された指定信号の受信によって介護人記憶プログラムが起動される。介護記憶プログラムによって、指定信号に含まれている介護人の名前及び指定信号を送信した介護端末１のＩＰアドレスが、介護人登録テーブルに記憶される（ステップ１４）。介護人登録テーブルに、介護人の名前及び介護端末１のＩＰアドレスが記憶されることによって、介護人が被介護体の介護担当であることが登録される。
【００４７】
又、介護端末１は、被介護体登録テーブルに登録された被介護体に割り当てられた被介護端末の全てに、介護人登録テーブルに登録されている介護人の開示を要求する開示要求信号を送信する介護人開示要求手段を有している。
【００４８】
介護人開示要求プログラムは、介護端末１からこの介護端末１に割り当てられた介護人が介護担当となる可能性のある被介護体について、現在の介護人の登録状況を確認する際に起動される。
【００４９】
図１１に示したように、介護端末１の入力装置15からの起動命令の入力によって介護人開示要求プログラムが起動される（ステップ１５）と、介護人開示要求プログラムによって、記憶装置12内の被介護体登録テーブルに記憶されているＩＰアドレスが読み出され、このＩＰアドレスを有する被介護端末２の全てに、介護人登録テーブルに登録されている介護人の開示を要求する開示要求信号が送信される（ステップ１６）。
【００５０】
被介護端末２は、介護人開示手段を有している。各被介護端末２が開示要求信号を受信すると、各被介護端末２の介護人開示プログラムが起動する。介護人開示プログラムによって、被介護端末２の記憶装置22内の介護人登録テーブルに登録されている全ての介護人の名前と、所有者情報テーブルに登録されている被介護体の名前と、必要介護人数テーブルに記憶されている必要とされる介護人の人数が読み出される（ステップ１７）。
【００５１】
次に、介護人開示プログラムによって、開示要求信号を送信した介護端末１に、介護人登録テーブルに登録されている全ての介護人の名前、所有者情報テーブルに登録されている被介護体の名前、及び、必要介護人数テーブルに記憶されている必要とされる介護人の人数を含む開示信号が送信される（ステップ１８）。
【００５２】
介護端末１が開示信号を受信すると、介護人開示要求プログラムによって、開示信号に含まれている情報に基づいて開示結果が出力装置16に出力される（ステップ１９）。
【００５３】
介護人開示要求プログラムによって、被介護端末２から受信した開示信号に含まれている情報に基づいて開示結果が出力装置16に表示される。出力装置16への表示形態としては、開示信号に含まれた情報に基づいた開示結果を被介護体ごとに列挙する表示形態が挙げられる。具体的には、例えば、開示信号が上記（１）である場合には、図１０に示したように、介護人登録テーブルに登録された介護人の名前を被介護体ごとに列挙する表示形態が挙げられる。この表示形態において、被介護体ごとに、介護人の名前を表示する表示欄を必要な介護人の人数分だけ設け、この表示欄に介護人の名前を埋めていき、不足している介護人の表示欄を空欄として表示すればよい。不足している介護人の表示欄を空欄とすることによって、一目で介護人が不足している被介護体を把握することができる。
【００５４】
開示結果を出力装置16に表示するにあたって、必要な介護人の人数から登録された介護人の人数を引いて得られる値（不足介護人数）が多い被介護体から順に出力装置16に表示することが好ましい。このように表示することによって、介護人は、介護人がより不足している被介護体を認識し易くなり好ましい。なお、不足介護人数が等しい被介護体が複数存在する場合は、これらの被介護体内における表示順位は任意でよい。
【００５５】
そして、介護人開示要求プログラムによって出力装置16に開示結果が表示された状態において、介護端末１の入力装置15から指定信号送信プログラムを起動させる起動命令が入力されると、指定信号送信プログラムが起動される。なお、指定信号送信プログラムの動作は上記と同様であるので説明を省略する。
【００５６】
上記介護管理システムＡでは、介護担当となるか否かにかかわらず、介護端末１と被介護端末２とを通信可能に接続させている一方、介護端末１の記憶装置12に被介護体登録テーブルを記憶させ、この被介護体登録テーブルに、介護人が介護担当となる可能性のある被介護体が登録されることによって、介護人端末は、被介護体登録テーブルから被介護端末を選択し通信するように構成している場合を説明したが、被介護体登録テーブルを用いる代わりに、介護人に割り当てられた介護端末１を、介護人が介護担当となる可能性のある被介護体が割り当てられている被介護端末２とのみ通信可能に接続した介護管理システムＡであってもよい。例えば、介護端末１及び被介護端末２のそれぞれに識別番号としてＩＰアドレスを付与し、介護端末１ごとに通信可能に接続し得る被介護端末２をＩＰアドレスによって特定することによって、介護端末１が特定の被介護端末２とのみ通信可能に接続した介護管理システムが挙げられる。このように構成された介護管理システムにおいては、介護端末は、被介護体登録テーブルから被介護端末を選択することなく、通信可能となっている被介護端末の全てに対して通信を行えばよい。
【００５７】
次に、介護管理システムの使用要領を説明する。先ず、介護人がこの介護人が割り当てられている介護端末１の入力画面から介護人確認プログラムを起動させる。介護人確認プログラムによって、介護端末１の被介護体登録テーブルに記憶されているＩＰアドレスに対応する被介護端末２の全てに、被介護端末２の介護人登録テーブルに登録された介護人を問い合わせる確認信号が送信される。
【００５８】
各被介護端末２において、介護端末１から上記確認信号を受信すると開示プログラムが起動し、この開示プログラムによって、必要介護人数テーブルから読み出された必要な介護人の人数と、介護人登録テーブルから読み出された介護人の人数とが比較され、介護人の人数が、必要な介護人の人数よりも少ない場合のみ、介護人が必要である旨を意味する応答信号が、確認信号を送信した介護端末１に送信される。
【００５９】
介護端末１が応答信号を受信すると、介護人確認プログラムによって、応答信号に含まれている情報に基づいて応答結果が出力装置16に出力される。介護人は、介護端末１の出力装置16に表示された応答結果を見て、介護人が介護担当となる可能性のある被介護体のうち、介護人が不足している被介護体を確認することができる。
【００６０】
次に、介護人は、介護人確認プログラムによって、介護端末１の出力装置16に応答結果が表示された状態において、介護端末１の入力装置15から指定信号送信プログラムを起動させる起動命令を入力し、この入力によって指定信号送信プログラムが起動されると、応答結果に含まれた被介護体の名前が選択可能な状態とされ、介護人は、応答結果中の所望の被介護体を選択することによって、介護すべき被介護体を指定する。なお、介護すべき被介護体は複数であってもよい。
【００６１】
介護人によって介護すべき被介護体が指定されると、指定信号送信プログラムによって、被介護体登録テーブル内が被介護体を検索キーとして検索され、この被介護体に割り当てられた被介護端末２のＩＰアドレスが特定され、このＩＰアドレスに基づいて被介護端末２に、介護端末１に割り当てられた介護人が被介護端末２に割り当てられている被介護体の介護担当になる旨を通知する指定信号が送信される。
【００６２】
そして、被介護端末２は、介護端末１から送信された指定信号の受信に基づき、指定信号を送信した介護端末１が割り当てられている介護人が介護人登録テーブルに記憶される。これによって、被介護端末２に、介護人が介護担当として登録される。
【００６３】
このように、介護人は、介護端末１から被介護端末にアクセスすることによって、被介護体に介護人が割り当てられているか否かを容易に把握することができ、被介護体に必要な介護人を確実に割り当てることができる。
【００６４】
又、介護人は、介護端末１を操作することによって、介護人が介護担当となる可能性のある全ての被介護体について、介護人の割り当て状況を確認することができる。この確認をする場合には、介護人は、介護端末１の入力装置15から起動命令を入力して介護人開示要求プログラムを起動させる。
【００６５】
起動された介護人開示要求プログラムによって、記憶装置12内の被介護体登録テーブルに記憶されている被介護体の被介護端末２に対して、登録されている介護人の開示を要求する開示要求信号が送信される。
【００６６】
介護端末１から開示要求信号を受けた被介護端末は介護人開示プログラムを起動させ、開示要求信号を送信した介護端末１に、介護人登録テーブルに登録されている全ての介護人の名前、所有者情報テーブルに登録されている被介護体の名前、及び、必要介護人数テーブルに記憶されている必要とされる介護人の人数を含む開示信号を送信する。
【００６７】
介護端末１が開示信号を受信すると、介護人開示要求プログラムによって、開示信号に含まれている情報に基づいて開示結果が出力装置16に出力される。介護人は、介護端末１の出力装置16に表示された開示結果から、介護人が介護担当となる可能性のある被介護体の全てについて、介護人の登録状況を確認することができる。
【００６８】
そして、介護人は、出力装置16に開示結果が表示された状態において、介護端末１の入力装置15から指定信号送信プログラムを起動させる起動命令を入力することによって、上述と同様の要領で、所望の被介護体の被介護端末２に自らを介護人として登録することができる。
【符号の説明】
【００６９】
１     介護端末
12     記憶装置
15     入力装置
16     出力装置
２     被介護端末
22     記憶装置
25     入力装置
26     出力装置
Ａ     介護管理システム
【図１】
2016116679.tif 000003
【図２】
2016116679.tif 000004
【図３】
2016116679.tif 000005
【図４】
2016116679.tif 000006
【図５】
2016116679.tif 000007
【図６】
2016116679.tif 000008
【図７】
2016116679.tif 000009
【図８】
2016116679.tif 000010
【図９】
2016116679.tif 000011
【図１０】
2016116679.tif 000012
【図１１】
2016116679.tif 000013